(57)【要約】【課題】予め用意した説明資料以外の資料を即座にスクリーンに投射することができ、かつ小型化および軽量化に適したプロジェクタ装置、プロジェクタ装置に用いられるリモートコントローラ、画像投射方法、および画像補正方法を提供する。【解決手段】プロジェクタ装置は、リモートコントローラ１０とプロジェクタ本体２０とを含む。リモートコントローラ１０には撮像デバイス１１が搭載されている。撮像デバイス１１は、被写体５０を撮像し画像情報を出力する。画像情報は、赤外線回路部１３によってプロジェクタ本体２０に送信される。赤外線回路部２１は、リモートコントローラ１０から送られた画像情報を受信する。画像生成部２５は、光源２４からの光を受信した画像情報によって変調して画像を生成する。そして、放射部２６は、生成された画像をスクリーン３０に投射する。【選択図】　図１
2004077748.tif 000002
【特許請求の範囲】
【請求項１】
画像情報に基づいて画像を生成する画像生成部と画像を投射する投射部とを有するプロジェクタ本体と、操作者の操作に応じてプロジェクタ本体に指令信号を送信するリモートコントローラとを含むプロジェクタ装置であって、
前記リモートコントローラは、被写体を撮像して画像情報を出力する画像撮像部と、前記画像撮像部が出力する画像情報を前記プロジェクタ本体に転送する画像情報送信手段とを備えた
ことを特徴とするプロジェクタ装置。
【請求項２】
プロジェクタ本体は、リモートコントローラからの画像情報を受信する画像情報受信手段を含み、
前記画像情報受信手段は、受信した画像情報を画像生成部に出力する
請求項１に記載のプロジェクタ装置。
【請求項３】
リモートコントローラは表示部を含み、
前記表示部は、画像撮像部が出力する画像情報に基づいて画像を表示する
請求項１または２に記載のプロジェクタ装置。
【請求項４】
画像撮像部が出力する画像情報にもとづいて色度を表す情報を生成する色度情報生成手段を備え、
表示部は、前記色度情報生成手段が生成した色度を表す情報を表示する
請求項３に記載のプロジェクタ装置。
【請求項５】
プロジェクタ本体は、外部から入力される画像情報と画像撮像部が出力する画像情報とを比較し、比較結果にもとづいて投射部が投射する画像の色の補正を行う画像補正手段を備えた
請求項１から請求項４のうちのいずれか１項に記載のプロジェクタ装置。
【請求項６】
被写体を撮像して画像の情報を出力する画像撮像部を備えた
ことを特徴とするプロジェクタ装置のリモートコントローラ。
【請求項７】
画像情報に基づいて画像を生成する画像生成部と画像を投射する投射部とを有するプロジェクタ本体と、操作者の操作に応じてプロジェクタ本体に指令信号を送信するリモートコントローラとを含むプロジェクタ装置を用いた画像投射方法であって、
前記リモートコントローラに、被写体を撮像させて画像情報を出力させるステップと、
前記リモートコントローラから前記プロジェクタ本体に画像情報を転送させるステップと、
前記プロジェクタ本体に、転送された画像情報に基づいて画像を投射させるステップとを含む
ことを特徴とする画像投射方法。
【請求項８】
画像情報に基づいて画像を生成する画像生成部と画像を投射する投射部とを有するプロジェクタ本体と、操作者の操作に応じてプロジェクタ本体に指令信号を送信するリモートコントローラとを含むプロジェクタ装置を用いた画像補正方法であって、
前記プロジェクタ本体に、入力される画像情報に基づいて画像を投射させるステップと、
前記リモートコントローラに、前記プロジェクタ本体から投射される画像を撮像させて画像情報を出力させるステップと、
前記プロジェクタ本体に入力された画像情報と前記リモートコントローラから出力された画像情報とを比較して、比較結果にもとづいて前記プロジェクタ本体から投射される画像の色の補正を行わせるステップとを含む
ことを特徴とする画像補正方法。
【請求項９】
画像情報に基づいて画像を生成する画像生成部と画像を投射する投射部とを有するプロジェクタ本体と、操作者の操作に応じてプロジェクタ本体に指令信号を送信するリモートコントローラとを含むプロジェクタ装置を用いた画像補正方法であって、
前記プロジェクタ本体に、入力される画像情報に基づいて画像を投射させるステップと、
前記リモートコントローラに、前記プロジェクタ本体から投射されスクリーンに映し出された画像を撮像させて画像情報を出力させるステップと、
前記プロジェクタ本体に入力された画像情報と前記リモートコントローラから出力された画像情報とを比較して、比較結果にもとづいて前記プロジェクタ本体から投射される画像の色の補正を行わせるステップとを含む
ことを特徴とする画像補正方法。
【発明の詳細な説明】
【０００１】
【発明の属する技術分野】
本発明は、操作者がリモートコントローラを介して操作可能なプロジェクタ装置、プロジェクタ装置のリモートコントローラ、プロジェクタ装置を用いた画像投射方法および画像補正方法に関する。
【０００２】
【従来の技術】
会議などで行われるプレゼンテーションにおいて、プロジェクタ装置を用いて予め用意した説明資料をスクリーンに投射し、説明者はスクリーン上に映し出される画像に基づいて説明を行うことがある。プロジェクタ装置を用いる場合、説明者は、予め用意した説明資料を携帯用のノート型パーソナルコンピュータ（以下、ノート型パソコンという。）の記憶装置などに記憶させる。そして、ノート型パソコンとプロジェクタ装置とをケーブルで接続して、ノート型パソコンの記憶装置に記憶されている説明資料をプロジェクタ装置に転送する。その結果、説明資料の画像がスクリーンに投射される。
【０００３】
プレゼンテーションにおいて、説明者が予め用意した資料のみに基づいて会議の参加者に一方的に説明を行うのではなく、説明者と会議の参加者とが意見の交換を行いながら対話形式でプレゼンテーションを進行させる場合がある。その場合、説明者は、プレゼンテーション中にその場で作成した手書きの資料や商品のパンフレットなどの、予め用意した説明資料以外の資料を即座にスクリーンに投射させる必要がある。
【０００４】
予め用意した説明資料以外の資料を即座にスクリーンに投射することができるプロジェクタ装置として、書画カメラを内蔵したプロジェクタ装置（以下、書画カメラ内蔵型プロジェクタ装置という。）がある。書画カメラ内蔵型プロジェクタ装置を用いることにより、説明者は、プレゼンテーション中にその場で作成した手書き資料や商品のパンフレットなどを書画カメラ内蔵型プロジェクタ装置が内蔵する書画カメラで撮像し、撮像した画像をプレゼンテーションの場で即座にスクリーンに投射させることができる。
【０００５】
【発明が解決しようとする課題】
一般に、プレゼンテーションの説明者はプロジェクタ装置をプレゼンテーションの会場に持ち運んで使用する。従って、説明者は持ち運びに便利な小型で軽量なプロジェクタ装置を好む傾向にある。しかし、プロジェクタ装置に書画カメラを内蔵すればプロジェクタ装置が大型となり重くなるため、プロジェクタ装置の小型化、軽量化が図れない。
【０００６】
そこで、本発明は、予め用意した説明資料以外の資料を即座にスクリーンに投射することができ、かつ小型化および軽量化されたプロジェクタ装置、プロジェクタ装置に用いられるリモートコントローラ、画像投射方法および画像補正方法を提供することを目的とする。
【０００７】
【課題を解決するための手段】
本発明によるプロジェクタ装置は、画像情報に基づいて画像を生成する画像生成部と画像を投射する投射部とを有するプロジェクタ本体と、操作者の操作に応じてプロジェクタ本体に指令信号を送信するリモートコントローラとを含むプロジェクタ装置であって、リモートコントローラが、被写体を撮像して画像情報を出力する画像撮像部と、画像撮像部が出力する画像情報をプロジェクタ本体に転送する画像情報送信手段とを備えたことを特徴とする。
【０００８】
プロジェクタ本体が、リモートコントローラからの画像情報を受信する画像情報受信手段を含み、画像情報受信手段が、受信した画像情報を画像生成部に出力するように構成されていてもよい。
【０００９】
リモートコントローラが表示部を含み、表示部が、画像撮像部が出力する画像情報に基づいて画像を表示するように構成されていてもよい。
【００１０】
画像撮像部が出力する画像情報にもとづいて色度を表す情報を生成する色度情報生成手段を備え、表示部が、色度情報生成手段が生成した色度を表す情報を表示するように構成されていてもよい。
【００１１】
プロジェクタ本体が、外部から入力される画像情報と画像撮像部が出力する画像情報とを比較し、比較結果にもとづいて投射部が投射する画像の色の補正を行う画像補正手段を備えていてもよい。
【００１２】
本発明によるプロジェクタ装置のリモートコントローラは、被写体を撮像して画像の情報を出力する画像撮像部を備えたことを特徴とする。
【００１３】
本発明による画像投射方法は、リモートコントローラに被写体を撮像させて画像情報を出力させ、リモートコントローラからプロジェクタ本体に画像情報を転送させ、プロジェクタ本体に、転送された画像情報に基づいて画像を投射させることを特徴とする。
【００１４】
本発明による画像補正方法は、プロジェクタ本体に、入力される画像情報に基づいて画像を投射させ、リモートコントローラに、プロジェクタ本体から投射される画像を撮像させて画像情報を出力させ、プロジェクタ本体に入力された画像情報とリモートコントローラから出力された画像情報とを比較してプロジェクタ本体から投射される画像の色の補正を行わせることを特徴とする。
【００１５】
本発明による他の態様の画像補正方法は、プロジェクタ本体に、入力される画像情報に基づいて画像を投射させ、リモートコントローラに、プロジェクタ本体から投射されスクリーンに映し出された画像を撮像させて画像情報を出力させ、プロジェクタ本体に入力された画像情報とリモートコントローラから出力された画像情報とを比較してプロジェクタ本体から投射される画像の色の補正を行わせることを特徴とする。
【００１６】
【発明の実施の形態】
実施の形態１．
まず、本発明の第１の実施の形態について図面を参照して説明する。図１は、本発明によるプロジェクタ装置の構成の一例を示すブロック図である。図１に示すように、プロジェクタ装置は、リモートコントローラ１０とプロジェクタ本体２０とを含む。
【００１７】
リモートコントローラ１０は、撮像デバイス１１と、Ａ−Ｄ変換部１２と、赤外線回路部１３と、表示部１４と、操作部１５を有する。撮像デバイス１１は、ＣＣＤカメラ等のカラーイメージセンサで構成される。撮像デバイス１１は、被写体を撮像し、画像情報を出力する。画像情報はアナログ電気信号として出力される。Ａ−Ｄ変換部１２はアナログ電気信号をデジタル電気信号に変換して赤外線回路部１３に出力する。表示部１４はＬＣＤ（液晶表示素子）などで構成される。操作部１５は、操作者の操作に応じて、プロジェクタ本体２０からスクリーン３０に投射される画像の位置の調整したり画像の拡大／縮小などを指令する指令信号を赤外線回路部１３に出力する。
【００１８】
赤外線回路部１３は、例えばＩｒＤＡ（Ｉｎｆｒａｒｅｄ　Ｄａｔａ　Ａｓｓｏｃｉａｔｉｏｎ　）規格に基づいて、赤外線によってプロジェクタ本体２０と通信を行う。
【００１９】
プロジェクタ本体２０は、赤外線回路部２１と、画像処理部２２と、光源２４と、画像生成部２５と、投射部２６と、色度情報生成部２７とを有する。画像処理部２２は、例えば、リモートコントローラ１０からの指令信号に応じて、スクリーン３０に形成される画像を拡大／縮小したり画像の表示位置を調整するための画像処理を行ったり、スクリーン３０に形成される画像の歪み等を補正するための画像処理を行ったりする。画像生成部２５は、液晶パネルを含み光源２４からの光を画像情報によって変調して画像を生成する。投射部２６は、投射レンズを含み画像生成部２５からの画像をスクリーン３０に投射する。また、色度情報生成部２７は、色度を表す情報を生成する回路である。
【００２０】
赤外線回路部２１は、例えばＩｒＤＡ規格に基づいて、赤外線によってリモートコントローラ１０と通信を行う。
【００２１】
リモートコントローラ１０からプロジェクタ本体２０に送られる画像情報は赤外線信号ではなく無線電波信号であってもよい。無線電波信号が用いられる場合には、リモートコントローラ１０とプロジェクタ本体２０との間で、例えばＢｌｕｅｔｏｏｔｈに基づいて通信が行われる。
【００２２】
また、リモートコントローラ１０とプロジェクタ本体２０とは通信ケーブルで接続されてもよい。通信ケーブルとして、例えば、ＵＳＢケーブルやＲＳ−２３２Ｃケーブルなどが使用される。
【００２３】
図２は、リモートコントローラ１０の一構成例を示す正面図である。図２に示すように、リモートコントローラ１０には、操作部１５の他に、撮像デバイス１１が搭載されている。操作部１５には、投射部２６からスクリーン３０に投射される画像の位置の調整したり画像の拡大／縮小などを実現するための操作キーが配置されている。また、操作部１５には表示部１４が含まれる。表示部１４は、リモートコントローラ１０の筐体に、操作部１５とは独立して配置されていてもよい。
【００２４】
なお、画像撮像部は、リモートコントローラ１０の撮像デバイス１１によって実現される。また、画像撮像部が出力する画像情報をプロジェクタ本体２０に転送する画像情報送信手段は、赤外線回路部１３によって実現され、リモートコントローラ１０からの画像情報を受信する画像情報受信手段は、赤外線回路部２１によって実現される。さらに、色度情報生成手段は、色度情報生成部２７によって実現される。
【００２５】
次に、プロジェクタ装置の動作について説明する。図３は、プロジェクタ装置の使用の態様の一例を示す説明図である。図３に示すように、本実施の形態では、リモートコントローラ１０の撮像デバイス１１を用いて被写体５０を撮像し、撮像した被写体５０の画像をスクリーンに投射する。被写体５０は、例えば、プレゼンテーション中に説明者がその場で作成した手書きの資料や商品パンフレットなどの書面または図面である。
【００２６】
撮像デバイス１１は、被写体５０を撮像する。撮像デバイス１１は、撮像した被写体５０の画像に基づく画像情報を出力する。撮像デバイス１１は、画像をアナログ電気信号である画像情報に変換して出力する。なお、画像情報は、撮像された画像の赤色の成分が変換されたＲ信号、青色の成分が変換されたＢ信号、および緑色の成分が変換されたＧ信号を含む。
【００２７】
出力された画像情報は、Ａ−Ｄ変換部１２に入力する。Ａ−Ｄ変換部１２は、撮像デバイス１１からの画像情報をアナログ電気信号からデジタル電気信号に変換して出力する。出力された画像情報は赤外線回路部１３に送られる。赤外線回路部１３は、電気信号である画像情報を赤外線信号に変換し、プロジェクタ本体２０に送信する。また、操作者に操作に基づく指令信号が操作部１５から出力されると、赤外線回路部１３は、指令信号を赤外線信号に変換してプロジェクタ本体２０に送信する。なお、Ａ−Ｄ変換部１２でデジタル信号に変換された画像情報は、表示部１４にも送られる。そして、表示部１４は、画像情報にもとづく画像を表示する。
【００２８】
プロジェクタ本体２０の赤外線回路部２１は、リモートコントローラ１０から送られた指令信号および画像情報を受信する。そして、受信した赤外線信号である指令信号および画像情報を電気信号に変換し、変換した指令信号および画像情報をプロジェクタ本体２０のマイクロコンピュータなどによる制御部（図示せず）に出力する。制御部は、リモートコントローラ１０から送られた信号が指令信号であることを判別すると、例えば、画像処理部２２に指令に基づく処理を実行するように指示する。また、リモートコントローラ１０から送られた信号が画像情報であることを判別すると、画像情報を画像処理部２２に供給する。なお、指令信号であるのか画像情報であるのかは、例えば、赤外線信号におけるヘッダ情報によって判別される。また、制御部は、指令信号によって色度情報生成が指示されている場合には、画像情報を色度情報生成部２７に供給する。
【００２９】
画像処理部２２は、画像情報に対して所定の処理を施して画像生成部２５に出力する。所定の処理とは、例えば、指令信号による指令に応じた処理であり、具体的には、スクリーン３０に形成される画像を拡大／縮小したり画像の表示位置を調整するための画像処理や、スクリーン３０に形成される画像の歪み等を補正するための画像処理である。
【００３０】
なお、パソコン等の外部機器からプロジェクタ本体２０に入力される画像情報についても、画像処理部２２によって、リモートコントローラ１０からの指令信号に応じて、スクリーン３０に形成される画像を拡大／縮小したり画像の表示位置を調整するための画像処理が施されたり、スクリーン３０に形成される画像の歪み等を補正するための画像処理が施される。
【００３１】
画像生成部２５は、光源２４からの光を画像処理部２２からの画像情報に従って変調し画像を生成する。そして、生成された画像を投射部２６に出力する。投射部２６は、画像生成部２５からの画像をスクリーン３０に投射する。その結果、被写体５０の画像がスクリーン３０上に投射される。
【００３２】
この実施の形態では、リモートコントローラ１０に撮像デバイス１１が内蔵されているので、その撮像デバイス１１を用いて被写体を撮像することにより、プロジェクタ本体２０を大型化させることなく、予め用意した説明資料以外の手書き資料や商品パンフレットなどを即座にスクリーン３０に投射することができる。さらに、スクリーン３０に投射する前に、撮像した画像をリモートコントローラ１０の表示部１４上に表示させて確認することもできる。
【００３３】
なお、画像処理部２２がリモートコントローラ１０に設けられていてもよい。画像処理部２２がリモートコントローラ１０に設けられている場合には、プロジェクタ本体２０の負担を軽くすることができる。
【００３４】
色度情報生成部２７は、演算回路を含み、赤外線回路部２１からの画像情報に基づいて色度を表す数値の情報（以下、数値情報という。）を生成する。例えば、画像情報のＲ信号の色レベルが「Ｒ：２４５」である場合には、色度情報生成部２７は、Ｒ信号を「Ｒ＝２４５」という数値情報に変換する。同様の手順で、色度情報生成部２７は、Ｂ信号とＧ信号とを数値情報に変換する。そして、生成された数値情報を、赤外線回路部２１に出力する。赤外線回路部２１は、数値情報を赤外線信号に変換してリモートコントローラ１０に送信する。
【００３５】
リモートコントローラ１０の赤外線回路部１３は、プロジェクタ本体２０からの数値情報を受信する。赤外線回路部１３は、受信した赤外線信号である数値情報を電気信号に変換し表示部１４に出力する。表示部１４は、数値情報に基づいて撮像デバイス１１で撮像した画像の色度を数値で表示する。また、色度の情報を色度座標で表示してもよい。色度座標で表示する場合には、例えば、リモートコントローラ１０の制御部（図示せず）が、数値情報を色度座標情報に変換する。
【００３６】
投射部２６から投射される画像が撮像デバイス１１によって撮像され、撮像デバイス１１から出力される画像情報に基づいて色度の数値が算出され、色度の情報が数値情報や色度座標情報として表示部１４に表示されるので、リモートコントローラ１０を色度計として用いることができる。
【００３７】
なお、色度情報生成部２７は、プロジェクタ本体２０に含まれるのでなく、リモートコントローラ１０に含まれてもよい。リモートコントローラ１０に含まれる場合には、リモートコントローラ１０を色度計として用いる場合に、リモートコントローラ１０とプロジェクタ本体２０との間の通信を行う必要がなくなる。また、プロジェクタ装置は色度情報生成部２７を含まず、色度計としての機能を有しないものでもよい。
【００３８】
実施の形態２．
次に、本発明の第２の実施の形態を説明する。図４は、本発明によるプロジェクタ装置の構成の他の例を示すブロック図である。図４に示すように、プロジェクタ本体２０は、通信ケーブル４２０を介してコンピュータ端末４１０に接続される。プロジェクタ本体２０には、図１に示された構成要素に加えて画像情報補正部４３０が設けられている。
【００３９】
コンピュータ端末４１０は、例えば、ノート型パソコンである。また、通信ケーブル４２０は、ＵＳＢケーブルで構成される。なお、コンピュータ端末４１０は、デスクトップ型のパーソナルコンピュータなど他のコンピュータ端末であってもよい。また、プロジェクタ本体２０に画像情報を入力できるものであれば他の画像入力装置であってもよい。さらに、通信ケーブル４２０は、ＲＳ−２３２Ｃケーブルであってもよく、画像情報を伝送できるものであれば他のケーブルであってもよい。
【００４０】
画像情報補正部４３０は、投射部２６から投射される画像のホワイトバランスを最適値に補正するなど色の補正をする回路である。画像情報補正部４３０は画像補正手段を実現する。なお、画像情報補正部４３０は、図１に示された画像処理部２２の機能も有している。
【００４１】
次に、第２の実施の形態におけるプロジェクタ装置の動作について説明する。図５は、本実施の形態におけるプロジェクタ装置の使用の態様を示す説明図である。図５に示すように、本実施の形態では、投射部２６から投射される画像をリモートコントローラ１０で撮像し、撮像された画像に基づいて投射部２６から投射される画像の色の補正を行う。
【００４２】
プレゼンテーションの説明者は、予め用意した説明資料を画像情報としてコンピュータ端末４１０の記憶装置などに記憶させている。コンピュータ端末４１０の記憶装置などに記憶される画像情報は、通信ケーブル４２０を介してプロジェクタ本体２０に転送され、プロジェクタ本体２０に入力される。入力された画像情報は画像情報補正部４３０を介して画像生成部２５に出力される。
【００４３】
撮像デバイス１１は、投射部２６から投射される画像を撮像する。そして撮像デバイス１１は、撮像した画像に基づいて画像情報を出力する。画像情報は投射部２６から投射される画像の色の補正をするための基準情報（以下、補正情報という。）として用いられる。以下、補正情報は、撮像された画像の赤色の成分が変換されたＲ補正信号、青色の成分が変換されたＢ補正信号、および緑色の成分が変換されたＧ補正信号を含む。
【００４４】
撮像デバイス１１から出力された補正情報は、Ａ−Ｄ変換部１２に入力される。Ａ−Ｄ変換部１２でデジタル電気信号に変換された補正情報は赤外線回路部１３に出力される。赤外線回路部１３は、電気信号である補正情報を赤外線信号に変換し、プロジェクタ本体２０に送信する。
【００４５】
プロジェクタ本体２０の赤外線回路部２１は、リモートコントローラ１０からの補正情報を受信し、受信した赤外線信号である補正情報を電気信号に変換する。そして、電気信号に変換した補正情報を画像情報補正部４３０に出力する。画像情報補正部４３０は、補正情報に基づいて画像情報のホワイトバランスなどの補正を行う。なお、補正情報に基づく補正を行うか否かは、リモートコントローラ１０から予め送られている指令信号によって判断される。
【００４６】
画像情報補正部４３０は、コンピュータ端末４１０から送られた画像情報とリモートコントローラ１０から送られた補正情報とを比較する。例えば、コンピュータ端末４１０からのＲ信号の色レベルが「Ｒ：２４３」でありＲ補正信号の色レベルが「Ｒ：２４５」であった場合には、画像情報補正部４３０は、当初の画像情報の赤色成分のレベルは「Ｒ：２４３」であるが実際に投射部２６から投射されている画像の赤色の成分の色レベルは「Ｒ：２４５」であり、Ｒ信号の色レベルを「２」だけ低くする必要があると判断する。従って、画像情報補正部４３０は、入力される画像情報のＲ信号の色レベルを「Ｒ：２４３」から「Ｒ：２４１」に変換して出力する。
【００４７】
また、画像情報補正部４３０は、コンピュータ端末４１０からのＢ信号とＢ補正信号とを比較し、投射部２６から投射する画像の青色の成分が最適となるようＢ信号の色レベルを調整する。さらに、画像情報補正部４３０は、コンピュータ端末４１０からのＧ信号とＧ補正信号とを比較し、投射部２６から投射する画像の緑色の成分が最適となるようＧ信号の色レベルを調整する。
【００４８】
このようにして、画像情報補正部４３０は、色の補正が施された画像情報を画像生成部２５に出力する。画像生成部２５が画像を生成する処理は、第１の実施の形態の場合と同じである。
【００４９】
本実施の形態では、色の補正が施された画像５５１がスクリーン３０上に投射される。すなわち、投射部２６からスクリーン３０に投射される画像の色の補正をすることができる。
【００５０】
実施の形態３．
次に、本発明の第３の実施の形態を説明する。図６は、本発明によるプロジェクタ装置の構成の他の例を示すブロック図である。図７は、第３の実施の形態におけるプロジェクタ装置の使用の態様を示す説明図である。なお、図６に示すプロジェクタ装置の構成は、図４に示された構成と同じである。図６および図７に示すように、リモートコントローラ１０に備えられている撮像デバイス１１は、投射部２６から投射される画像を直接に撮像するのでなく、スクリーン３０上に投射された画像５５１を撮像する。画像５５１が撮像された後のプロジェクタ装置の動作は、第２の実施の形態の場合と同じである。
【００５１】
第２の実施の形態では、投射部２６から投射される画像を直接に撮像するので、投射部２６から投射される画像に、スクリーン３０の状態を考慮した色の補正を施すことはできない。例えばスクリーン３０がもともと緑色であった場合には、スクリーン３０の画像を見る人は、緑がかった画像を視認する。その場合、緑色のレベルを落とすことが好ましい。
【００５２】
本実施の形態では、スクリーン３０に投射された画像５５１を撮像し、撮像デバイス１１から出力される補正情報に基づいて、投射部２６からスクリーン３０に投射される画像の色の補正を行う。例えば、当初の緑色のレベルが「Ｇ：１００」であって補正情報のＧ補正信号のレベルは「Ｇ：１５０」であった場合には、画像情報補正部４３０は、Ｇ補正信号に基づいて画像情報のＧ信号の色レベルを、例えば「Ｇ：１００」から「Ｇ：５０」に変換して出力する。以上のように、本実施の形態では、スクリーン３０の状態を考慮した色の補正をすることができる。
【００５３】
なお、一般に、プロジェクタ装置には、ホワイトバランスや色温度を調整するための色調整機能が備えられている。従って、第２および第３の実施の形態のように、リモートコントローラ１０で撮像された画像情報に基づく補正信号を色調整機能にフィードバックすることによって、色補正を実現することができる。さらに、第３の実施の形態では、回路規模を増大させることなく、スクリーン３０の状態を考慮した色補正を実現することができる。
【００５４】
【発明の効果】
以上のように、本発明によれば、プロジェクタ装置を、リモートコントローラが、被写体を撮像して画像情報を出力する画像撮像部を含み、画像情報をプロジェクタ本体に転送する構成にしたので、プロジェクタ本体を大型化させることなく、予め用意した説明資料以外の手書き資料や商品パンフレットなどを即座にスクリーンに投射することができる。
【００５５】
また、画像投射方法を、リモートコントローラに被写体を撮像させて画像情報を出力させ、リモートコントローラからプロジェクタ本体に画像情報を転送させる構成にしたので、プロジェクタ本体を大型化させることなく、予め用意した説明資料以外の手書き資料や商品パンフレットなどを即座にスクリーンに投射することができる。
【００５６】
そして、画像補正方法を、リモートコントローラに、プロジェクタ本体から投射される画像を撮像させて画像情報を出力させ、プロジェクタ本体に入力された画像情報とリモートコントローラから出力された画像情報とを比較してプロジェクタ本体から投射される画像の色の補正を行わせる構成にしたので、リモートコントローラを、画像の色の補正のための手段としても用いることができる。
【００５７】
また、リモートコントローラに、プロジェクタ本体から投射されスクリーンに映し出された画像を撮像させる場合には、色状態などのスクリーンの状態を反映した色の補正を行うことができる。
【図面の簡単な説明】
【図１】本発明によるプロジェクタ装置の構成の一例を示すブロック図である。
【図２】本発明によるプロジェクタ装置のリモートコントローラの一例を示す正面図である。
【図３】本発明によるプロジェクタ装置の使用の態様の一例を示す説明図である。
【図４】本発明によるプロジェクタ装置の構成の他の例を示すブロック図である。
【図５】本発明によるプロジェクタ装置の使用の態様の他の例を示す説明図である。
【図６】本発明によるプロジェクタ装置の構成のさらに他の例を示すブロック図である。
【図７】本発明によるプロジェクタ装置の使用の態様のさらに他の例を示す説明図である。
【符号の説明】
１０　リモートコントローラ
１１　撮像デバイス
１２　Ａ−Ｄ変換部
１３　赤外線回路部
１４　表示部
１５　操作部
２０　プロジェクタ本体
２１　赤外線回路部
２２　画像処理部
２４　光源
２５　画像生成部
２６　投射部
２７　色度情報生成部
４１０　コンピュータ端末
４２０　通信ケーブル
４３０　画像情報補正部
【図１】
2004077748.tif 000003
【図２】
2004077748.tif 000004
【図３】
2004077748.tif 000005
【図４】
2004077748.tif 000006
【図５】
2004077748.tif 000007
【図６】
2004077748.tif 000008
【図７】
2004077748.tif 000009